(57)【特許請求の範囲】
【請求項１】
ロータリー耕耘装置１２の後部に取り付けたリヤカバー１１を上下に分割し、上方は、耕耘カバー３５の後部に上下揺動自在に付設した本体リヤカバー９とし、下方は、該本体リヤカバー９の下部両側に上下揺動可能にブラケット１・１を支持し、該ブラケット１・１により回動可能に支持した補助リヤカバー１０とした構成において、
前記ブラケット１の下部に、前後２本の係止ピン１ａ・１ｂを左右方向に横設し、他方、補助リヤカバー１０の両側上には前記ブラケット１・１の位置に合わせて、係合部材６・６を固設し、該係合部材６の後部側面には長孔を設けて把持部６ａとし、更に該係合部材６の前端下部に係合凹部６ｂを形成し、その後部にフック７を係合部材６に横架した支持軸５４に枢支し、該支持軸５４に外嵌されたバネ８により、該フック７の係合凹部７ｂを閉じる方向に付勢し、該係合凹部６ｂとフック７の係合凹部７ｂの位置を、前記係止ピン１ａ・１ｂと合わせ、
補助リヤカバー１０の脱着を、前記把持部６ａに手を挿入して、親指でフック７のレバー７ａを回動操作することにより可能とし、
更に、前記本体リヤカバー９の後部中央にのみ、三角切欠き部９ｂを設けたことを特徴とするロータリー耕耘装置のリヤカバー。
【発明の詳細な説明】
【０００１】
【発明の属する技術分野】
本発明は、トラクタ後部に装着するロータリー耕耘装置において、該ロータリー耕耘装置後部に畦立器を容易に、しかもできるだけ前方に装着できるようにするためのリヤカバーの構造に関する。
【０００２】
【従来の技術】
従来から、ロータリー耕耘装置後部に取り付けるリアカバーを、上下に分割して各々上下揺動が可能な構造とすることにより、整地性を高めるようにした技術は公知となっている。
図８にその例を示す。すなわち、通常は本体リヤカバー９に補助リアカバー１０を取り付けた状態で耕耘作業を行うが、代掻き作業で幅広く均平作業を行う場合に幅広のレベラーを補助リアカバー１０に代えて作業を行う場合がある。
該補助リヤカバー１０は、連結ピン５９により本体リヤカバー９に回動可能に連結されており、更には、該本体リヤカバー９に枢支されたロッド５と、該ロッド５の外周面上に外嵌されたスプリング４の張力により、支持ステー５８を介して耕耘面に付勢する構成としていた。従って、補助リヤカバー１０の取り外しは必ずしも容易ではなく、面倒な作業となっていた。
また、補助リヤカバー１０の脱着が面倒なので、畦立器の取り付けの際は、該補助リヤカバー１０を付けたままで行うのが一般的であり、該取り付けのための三角切り欠き部も、本体リヤカバー９ではなく補助リヤカバー１０の方に設けられていた。
【０００３】
【発明が解決しようとする課題】
しかし、後方の取り回しや良好な畦立作業の観点からは畦立器はできるだけ前方に取り付けるのが好ましいが、前述のように三角切欠き部が補助リヤカバーに設けられているため、畦立器も本体リヤカバーよりも後方にある補助リヤカバーに取り付けざるを得ない、という問題があった。
更に、補助リヤカバーのような短い部品に三角切欠き部を設けると、その部分の強度低下が避けられないため、三角切欠き部の大きさが制限されて畦立器が更に後方に配置されるという問題があった。
また、三角切欠き部に蓋をして通常の耕耘作業を行う場合には、該三角切欠き部を蓋するための蓋により生じた段差が耕耘面にすじ状の溝として残り、耕耘面の仕上がりが悪化する、という問題もあった。
本発明は、前記の点に鑑み、畦立器の装着が確実かつ容易で、しかも前方に装着して良好な作業、取り回しを可能とするリヤカバーを提供することを目的とする。
【０００４】
【課題を解決するための手段】
以上の課題を解決すべく本発明は、次の如く構成したものである。
ロータリー耕耘装置１２の後部に取り付けたリヤカバー１１を上下に分割し、上方は、耕耘カバー３５の後部に上下揺動自在に付設した本体リヤカバー９とし、下方は、該本体リヤカバー９の下部両側に上下揺動可能にブラケット１・１を支持し、該ブラケット１・１により回動可能に支持した補助リヤカバー１０とした構成において、前記ブラケット１の下部に、前後２本の係止ピン１ａ・１ｂを左右方向に横設し、他方、補助リヤカバー１０の両側上には前記ブラケット１・１の位置に合わせて、係合部材６・６を固設し、該係合部材６の後部側面には長孔を設けて把持部６ａとし、更に該係合部材６の前端下部に係合凹部６ｂを形成し、その後部にフック７を係合部材６に横架した支持軸５４に枢支し、該支持軸５４に外嵌されたバネ８により、該フック７の係合凹部７ｂを閉じる方向に付勢し、該係合凹部６ｂとフック７の係合凹部７ｂの位置を、前記係止ピン１ａ・１ｂと合わせ、補助リヤカバー１０の脱着を、前記把持部６ａに手を挿入して、親指でフック７のレバー７ａを回動操作することにより可能とし、更に、前記本体リヤカバー９の後部中央にのみ、三角切欠き部９ｂを設けたものである。
【０００５】
【発明の実施の形態】
次に本発明の実施の形態を説明する。
図１は本発明のリヤカバーを装着したトラクターの全体側面図、
図２は本発明のリヤカバーを装着したロータリー耕耘装置の全体背面図、
図３は同じく側面図、
図４は本発明の補助リヤカバーの装着部の側面断面図、
図５は補助リヤカバーを本体リヤカバーより外した状態の側面断面図、
図６は同じく背面図、
図７は補助リヤカバーを外して畦立器を装着した状態を示す側面図、
図８は従来例のロータリー耕耘装置の全体側面図、
図９は従来例の畦立器を装着した状態を示す全体側面図である。
【０００６】
まず、本発明に係わるロータリー耕耘装置の全体構成を、図１乃至図３により説明する。
トラクター１８のエンジンフレーム１５に前輪１３を懸架し、ミッションケースに後輪１４を懸架し、該後輪１４の上方に設けた座席１６に着座してハンドル１７を左右に回動し、前輪１３を操舵してトラクター１８を走行させる。
該トラクター１８の後部には、左右中央上方のアッパーリンク１９と左右両側下部のロワーリンク２０等からなる３点リンク式作業機装着装置２１を設け、該アッパーリンク１９とロワーリンク２０の後部をマストピン２２とリンクピン２３を介して、ロータリー耕耘装置１２を着脱自在に取り付ける。
前記ロータリー耕耘装置１２は左右両側にチェーンケース３０と支持フレーム３２が設けられ、該左右のチェーンケース３０と支持フレーム３２の間に、左右の支持パイプ３３・３３と中央のギアボックス２９が一体的に連結され、前記支持パイプ３３・３３に支持プレート３４・３４を固設し、該支持プレート３４の前部に前記リンクピン２３が横設されて、前記ロワーリンク２０と係合される構造となっている。
【０００７】
また、トラクター１８の後部には、図示せぬ油圧シリンダを内装したシリンダケースを設け、該シリンダーケースよりリフトアーム２４・２４を上下回動可能に後方へ突出し、該リフトアーム２４・２４先端と前記ロワーリンク２０・２０間をリフトロッド２５・２５で連結し、ロータリー耕耘装置１２を昇降可能としているのである。図中の２６は昇降操作レバーで、これを前後動すると油圧シリンダーが伸縮されてリフトアーム２４を上下動させることができる。
【０００８】
更に、トラクター１８のＰＴＯ軸からの駆動力については、図示せぬユニバーサルジョイントを経て、ロータリー耕耘装置１２の左右方向中央に設けた入力軸２８へ入力される。該入力軸２８はギアボックス２９より前方に突出され、該ギアボックス２９内のベベルギアや支持パイプ３３内の伝動軸等を介してチェーンケース３０に動力を伝達し、該チェーンケース３０と支持フレーム３２下部に横架した耕耘爪軸３１を回転駆動可能とし、該耕耘爪軸３１上には耕耘爪３６・３６・・・が固設されている。
【０００９】
一方、前記支持プレート３４の後部にはデプスフレーム３７の前端が上下回動可能に枢支され、該デプスフレーム３７の後端には畦立器などの他の作業機や尾輪の装着が可能である。更に、該デプスフレーム３７の途中部には支持パイプ３８が横設され、該支持パイプ３８よりステー３９が上方に突設され、該ステー３９とマスト４０後上部との間にネジロッド４１が介装され、該ネジロッド４１はハンドル４２の回動操作により伸縮されて、デプスフレーム３７を上下に回動可能としている。
【００１０】
また、前記支持パイプ３３下方で耕耘爪３６・３６・・・の回転軌跡上方及び上側方に耕耘カバー３５が設けられ、耕耘時の泥や土が上方や側方へ飛散することを防止し、更に、該耕耘カバー３５の後部にはリヤカバー１１が枢支されている。前記耕耘カバー３５は、耕耘爪軸３１を中心に前後方向に回動可能に枢支されると共に、該耕耘カバー３５後部の左右中央部に突設したステー４５とマスト４０下部との間にはネジロッド４３が介装され、該ネジロッド４３をハンドル４４の回動操作により伸縮することで、耕耘カバー３５とリヤカバー１１とが前後に回動され、耕深に合わせて手動で調整できるようにしている。
【００１１】
以上のような全体構成から成るロータリー耕耘装置おいて、その中のリヤカバーの詳細構成について、図３乃至図６により説明する。
リヤカバー１１は本体リヤカバー９と補助リヤカバー１０に前後分割され、該本体リヤカバー９の前端が耕耘カバー３５の後部に回動自在に枢支され、該本体リヤカバー９の左右上には前後方向に本体リヤカバー支持板９ａが左右一対ずつ固設され、該本体リヤカバー支持板９ａの上下途中部にはガイドロッド４６の下端部が枢支されている。
一方、前記耕耘カバー３５の後部より後上方には摺動支持ブラケット４７が突設され、該摺動支持ブラケット４７後部にはボス部４８が枢支され、該ボス部４８内には、前記ガイドロッド４６が摺動自在に挿入されて、本体リヤカバー９の上下動に対してガイドをし、該ガイドロッド４６にはバネを外嵌して一定角度以上リヤカバー１１が回動すると下方へ付勢する構成としている。
【００１２】
また、前記摺動支持ブラケット４７の側部には基部ステー４９が固設され、該基部ステー４９にはセンシングロッド５０の途中部が上下摺動自在に支持されている。該センシングロッド５０の下部は、本体リヤカバー９の上面に突設したステー５１に連結されており、本体リヤカバー９の上下回動とともに、センシングロッド５０は上下に摺動される。該センシングロッド５０の上部は、フィードバックワイヤ５２を介して油圧シリンダーの油圧制御バルブに連結され、本体リヤカバー９の上下回動に応じて前記リフトアーム２４が上下動され、耕耘深さが設定深さとなるように制御されている。
【００１３】
また、前記ガイドロッド４６下端が枢支された下部位置には、ロッド５の一端が連結ピン３により左右の本体リヤカバー支持板９ａに枢支され、該ロッド５の他端は、ブラケット１の上端部に枢支体６０を介して枢支される。該ブラケット１は下端部が本体リヤカバー支持板９ａの下部に連結ピン２を介して枢支されている。前記ロッド５の外周面上の連結ピン３と枢支体６０の間には、スプリング４が外嵌され、該ロッド５は枢支体６０に軸方向に摺動自在に支持されて、前記スプリング４により、ブラケット１を連結ピン２を支軸として後方（図４に示す側面視で時計回り）へ回動するように付勢している。
前記ブラケット１・１の下部に前後２本の係止ピン１ａ・１ｂが左右方向に横設されている。
【００１４】
一方、補助リヤカバー１０の両側上には前記ブラケット１・１の位置に合わせて係合部材６・６が配置されている。該係合部材６は後面視逆Ｕ字状に構成されて、係合部材６の後端下面が補助リヤカバー１０上面に固設される。該係合部材６の後部側面には長孔を設けて把持部６ａとし、前部に係合部が形成されている。
即ち、係合部材６の前端下部に係合凹部６ｂを形成し、その後部にフック７を係合部材６に横架した支持軸５４に枢支し、該係合凹部６ｂとフック７の係合凹部７ｂの位置を前記係止ピン１ａ・１ｂと合わせている。そして、該係合凹部６ｂの前部とフック７の後部には側面視「く」字状に構成したステー５３ａ・５３ｂが係合部材６内部に固設されて補強する構成とし、該ステー５３ｂはフック７のストッパーも兼ねている。
つまり、前記支持軸５４上にはねじりバネ８が外嵌され、該バネ８の一端は前記ステー５３ｂに係止され、該バネ８の他端はフック７より情報に突設したレバー７ａの下面に係止して、該フック７の係合凹部７ｂがステー５３ｂに当接して閉じるように付勢している。
尚、前記レバー７ａの他端は係合部材６の上面に開口した孔６ｃより上方に突出され、前記把持部６ａに手を挿入して、親指でレバー７ａを回動操作できるようにしている。
【００１５】
従って、補助リヤカバー１０を装着するときには、係合部材６の係合凹部６ｂを係止ピン１ａに係合して、該係止ピン１ａを中心に補助リヤカバー１０を下方へ回動するだけで、フック７はバネ８の付勢力に抗して右回りに回動され、その後、係止ピン１ｂに係合凹部７ｂが係合してロックされ、補助リヤカバー１０がブラケット１と一体となり、連結ピン２を中心に上下に揺動することができ、耕耘面の凹凸への迅速な追従が可能となるのである。
尚、この時の耕耘面への加圧力、すなわち整地圧のレベルは、前記スプリング４の張力によって決まる。
【００１６】
また、補助リヤカバー１０を取り外す場合には、把持部６ａを掴み、レバー７ａを親指で押さえ、フック７の係合凹部７ｂを支持軸５４を中心として上方に回動させることにより、係止ピン１ｂより外れ、上方へ持ち上げるだけで容易に外すことができるのである。
【００１７】
次に、畦立器５６を取り付ける場合について説明する。
従来は、後方の補助リヤカバー１０内の左右中央位置に三角切欠き部が設けられていたので、図９に示すように、畦立器５６を取り付けたときの最前端位置は位置５７ｂとなっていた。
本実施例では、補助リヤカバー１０が容易に着脱できるので、該補助リヤカバー１０を取り外した後に本体リヤカバー９の左右中央に設けた蓋体６１を外して（図２）三角切欠き部９ｂの位置に畦立器５６を取り付けられ、その最前端位置は図７に示すように位置５７ａとなり、畦立器５６をできるだけ前方に装着することができて、補助リヤカバー１０の強度をアップする必要がなく、蓋体の部分で段差が生じて耕耘面にすじ状溝等が残り難く、全長が余り長くならず、畦立作業性が向上できるのである。
【００１８】
また、本体リヤカバー９の左右両側に三角形状の側部切欠９ｃ・９ｃが設けられ、この側部切欠９ｃ・９ｃは蓋体６２・６２によって蓋され、この蓋体６２・６２を外して片培土板を取り付けることができるので、前記同様に補助リヤカバー１０を外して蓋体６２・６２を外し、片培土板を取り付けるときには、できるだけ前方に取り付けることができて、全長をあまり長くすることがないのである。
【００１９】
【発明の効果】
本発明は以上の如く構成したので、次のような効果を奏するのである。
すなわち、ロータリー耕耘装置の後部に取り付けたリヤカバーを上下に分割した構成において、耕耘カバー後部に上下揺動自在に本体リヤカバーを設け、該本体リヤカバー下部に上下揺動可能にブラケットを介して補助リヤカバーを着脱可能に設けたので、補助リヤカバーの回動支点側は本体リヤカバー側に残り、補助リヤカバーの重量が増すことなく、補助リヤカバーが揺動可能となり、着脱も容易にできる。
そして、補助リヤカバーが揺動可能なために、本体リヤカバーより広い幅の均平板等を取り付けた場合には、耕耘部以外の部分の凹凸に対しては補助リヤカバーだけが揺動して、ロータリ耕耘装置自体が昇降制御されることはなく、耕深制御を正確に行うことができる。
また、浅耕で補助リヤカバーのみが接地する場合にも、補助リヤカバーが揺動できるので、地表の凹凸に対して無理な力が本体リヤカバー側に掛かることがなく耕深制御を正確に行うことができるのである。
【００２０】
また、前記本体リヤカバーの後部中央に三角切欠き部を設けたので、補助リヤカバーと蓋体を外して、畦立器をできるだけ前方に装着できるようになり、全長が余り長くならず、旋回半径も長くならず、取り回しが容易となり、重心もあまり後方へ移動せず、前輪の浮き上がり等が発生し難くなる。また、畦立器とロータリの間の距離が短いので、ロスが少なく精度良く畦立て作業ができるのである。
また、三角切欠き部を補助リヤカバーに設ける必要がないので、補助リヤカバーの剛性の低下がなく、蓋による段差も小さく良好な仕上がりを得ることができる。
【００２１】
また、補助リヤカバー１０を装着するときには、係合部材６の係合凹部６ｂを係止ピン１ａに係合して、該係止ピン１ａを中心に補助リヤカバー１０を下方へ回動するだけで、フック７はバネ８の付勢力に抗して右回りに回動され、その後、係止ピン１ｂに係合凹部７ｂが係合してロックされ、補助リヤカバー１０がブラケット１と一体となり、連結ピン２を中心に上下に揺動することができ、耕耘面の凹凸への迅速な追従が可能となるのである。
また、補助リヤカバー１０を取り外す場合には、把持部６ａを掴み、レバー７ａを親指で押さえ、フック７の係合凹部７ｂを支持軸５４を中心として上方に回動させることにより、係止ピン１ｂより外れ、上方へ持ち上げるだけで容易に外すことができるのである。
【図面の簡単な説明】
【図１】本発明のリヤカバーを装着したトラクターの全体側面図である。
【図２】本発明のリヤカバーを装着したロータリー耕耘装置の全体背面図である。
【図３】同じく側面図である。
【図４】本発明の補助リヤカバーの装着部の側面断面図である。
【図５】補助リヤカバーを本体リヤカバーより外した状態の側面断面図である。
【図６】同じく背面図である。
【図７】補助リヤカバーを外して畦立器を装着した状態を示す側面図である。
【図８】従来例のロータリー耕耘装置の全体側面図である。
【図９】従来例の畦立器を装着した状態を示す全体側面図である。
【符号の説明】
１  ブラケット
９  本体リヤカバー
１０  補助リヤカバー
１１  リヤカバー
１２  ロータリー耕耘装置
【図１】
0003625130.tif 000002
【図２】
0003625130.tif 000003
【図３】
0003625130.tif 000004
【図４】
0003625130.tif 000005
【図５】
0003625130.tif 000006
【図６】
0003625130.tif 000007
【図７】
0003625130.tif 000008
【図８】
0003625130.tif 000009
【図９】
0003625130.tif 000010